(57)【要約】【課題】容易にタブ群とケースを絶縁できる蓄電装置を提供すること。【解決手段】二次電池１０は、第１の絶縁カバー８１を備える。第１の絶縁カバー８１は、正極導電部材５１の電極接合部５１ａと蓋部材１５とを絶縁する第１壁絶縁部８２、及び両極のタブ群３６の積層方向の一端側とケース部材１４を絶縁する第１タブ絶縁部８３、及びホルダ４０に係止する第１係止爪８５ａを有する。二次電池１０は、第２の絶縁カバー９１を備える。第２の絶縁カバー９１は、負極導電部材５２の電極接合部５２ａと蓋部材１５とを絶縁する第２壁絶縁部９２、及び両極のタブ群３６の積層方向の他端側とケース部材１４を絶縁するに第２タブ絶縁部９３、及び負極導電部材５２の端子接続部５２ｂに係止する第２係止爪９６ａを有する。【選択図】図１
2018006120.tif 000002
【特許請求の範囲】
【請求項１】
シート状の正極と負極の電極が絶縁された状態で交互に積層された電極組立体と、
前記電極の一辺の一部から突出した形状のタブが同じ極性同士で積層されたタブ群と、
前記電極組立体及び前記タブ群を収容するケース部材、及び該ケース部材の開口部を閉塞する蓋部材を有するケースと、
前記蓋部材に固定され、前記蓋部材から前記電極組立体に向けて突出した基部を備えた一対の電極端子と、
前記蓋部材と、該蓋部材に対峙した前記電極組立体の端面との間に配置された一対の導電部材と、
前記蓋部材と前記電極端子の前記基部とを絶縁するホルダと、
前記電極の積層された方向を積層方向とした場合、
一方の前記導電部材と前記蓋部材とを絶縁する第１壁絶縁部、両極のタブ群の前記積層方向の一端側と前記ケース部材を絶縁する第１タブ絶縁部、及び前記一方の導電部材又は前記ホルダに係止する第１係止爪を有する第１の絶縁カバーと、
他方の前記導電部材と前記蓋部材とを絶縁する第２壁絶縁部、両極のタブ群の前記積層方向の他端側と前記ケース部材を絶縁する第２タブ絶縁部、及び前記他方の導電部材又は前記ホルダに係止する第２係止爪を有する第２の絶縁カバーと、を備える蓄電装置。
【請求項２】
前記一対の導電部材の並ぶ方向を並設方向とし、前記並設方向に対向した前記導電部材の対向面を各導電部材の先端面とすると、前記第１の絶縁カバーは、一方の前記導電部材の前記先端面に当接する当接面を備え、前記第２の絶縁カバーは他方の前記導電部材の前記先端面に当接する当接面を備える請求項１に記載の蓄電装置。
【請求項３】
前記第１の絶縁カバーは、一方の導電部材と接合された前記基部を前記電極組立体と絶縁する第１端子絶縁部を備え、前記第２の絶縁カバーは、他方の導電部材と接合された前記基部を前記電極組立体と絶縁する第２端子絶縁部を備える請求項１又は請求項２に記載の蓄電装置。
【請求項４】
前記蓄電装置は二次電池である請求項１〜請求項３のうちいずれか一項に記載の蓄電装置。
【発明の詳細な説明】
【技術分野】
【０００１】
本発明は、絶縁カバーを有する蓄電装置に関する。
【背景技術】
【０００２】
ＥＶ（Electric Vehicle）やＰＨＶ（Plug in Hybrid）などの車両には、走行用モータへの供給電力を蓄える蓄電装置としての二次電池が搭載されている。一般に、二次電池は、電極組立体を収容するケースを備え、そのケース内に電極組立体が収容されている。そして、二次電池からの電力の取り出しは、電極組立体の正極電極及び負極電極に、導電部材を介して接続された電極端子を通して行われている。
【０００３】
電極組立体には、例えば、複数の正極電極と複数の負極電極との間にセパレータを介在させた状態で積層した積層型の電極組立体がある。
一般に、二次電池のケースには耐久性に優れるアルミニウム等の金属製ケースが多用されている。金属製のケースと電極組立体を絶縁するため、電極組立体とケースの間には絶縁フィルムが配置されている。
【０００４】
特許文献１に開示の蓄電装置においては、正極集電部材（導電部材）及び負極集電部材（導電部材）における集電群（タブ群）との接続面が電極組立体と対向するように正極集電部材及び負極集電部材を配設している。ケース内では、断面Ｕ字状の絶縁カバーが、正極集電部材及び負極集電部材とケースの端子壁（蓋部材）との間に配設されるとともに、対向面と蓋部材とを離間させている。
【先行技術文献】
【特許文献】
【０００５】
【特許文献１】再公表ＷＯ２０１３／１５７４３３号公報
【発明の概要】
【発明が解決しようとする課題】
【０００６】
ところで、二次電池の製造方法の一つに、蓋部材に電極端子を固定し、かつ電極端子に導電部材を接合して、蓋部材、電極端子及び導電部材をユニット化した蓋端子組立体を予め組み立ておく方法がある。この方法では、蓋端子組立体の導電部材と、電極組立体のタブ群とを接合した後に、電極組立体をケース部材に挿入して、蓋部材をケース部材に固定する。
【０００７】
この方法では、電極端子を導電部材に接合した後に、特許文献１に開示のような断面Ｕ字状の絶縁カバーを装着することはできず、タブ群の最外層とケースとを絶縁するには、絶縁フィルムを電極組立体の活物質層だけでなくタブ群の位置まで配置しなければならない。よって、蓋端子組立体を用いて製造される二次電池において、タブ群の最外層とケースとを絶縁するには、電極端子を導電部材に接合する前に断面Ｕ字状の絶縁カバーを装着することになり組立工程の削減が求められる。
【０００８】
本発明の目的は、容易にタブ群とケースを絶縁できる蓄電装置を提供することにある。
【課題を解決するための手段】
【０００９】
上記問題点を解決するための蓄電装置は、シート状の正極と負極の電極が絶縁された状態で交互に積層された電極組立体と、前記電極の一辺の一部から突出した形状のタブが同じ極性同士で積層されたタブ群と、前記電極組立体及び前記タブ群を収容するケース部材、及び該ケース部材の開口部を閉塞する蓋部材を有するケースと、前記蓋部材に固定され、前記蓋部材から前記電極組立体に向けて突出した基部を備えた一対の電極端子と、前記蓋部材と、該蓋部材に対峙した前記電極組立体の端面との間に配置された一対の導電部材と、前記蓋部材と前記電極端子の前記基部とを絶縁するホルダと、前記電極の積層された方向を積層方向とした場合、一方の前記導電部材と前記蓋部材とを絶縁する第１壁絶縁部、両極のタブ群の前記積層方向の一端側と前記ケース部材を絶縁する第１タブ絶縁部、及び前記一方の導電部材又は前記ホルダに係止する第１係止爪を有する第１の絶縁カバーと、他方の前記導電部材と前記蓋部材とを絶縁する第２壁絶縁部、両極のタブ群の前記積層方向の他端側と前記ケース部材を絶縁する第２タブ絶縁部、及び前記他方の導電部材又は前記ホルダに係止する第２係止爪を有する第２の絶縁カバーと、を備えることを要旨とする。
【００１０】
これによれば、蓄電装置の製造方法の一つに、蓋部材に電極端子を固定し、電極端子に導電部材を接合して、蓋端子組立体を予め製造した後、導電部材にタブ群を接合して、蓋端子組立体と電極組立体を一体化した後、電極組立体をケース部材内に収容する方法がある。
【００１１】
この方法では、蓋端子組立体が製造された後、第１の絶縁カバーの第１壁絶縁部を、積層方向一端側から蓋部材と一方の導電部材との間に挿入し、第２の絶縁カバーの第２壁絶縁部を、積層方向他端側から蓋部材と他方の導電部材との間に挿入する。すると、一対の絶縁カバーが蓋端子組立体に組付けられる。そして、導電部材又はホルダに対する係止爪の係止により、電極組立体における積層方向に沿って両絶縁カバーが互いに離れる方向へ移動することを抑制できる。
【００１２】
蓄電装置において、蓋部材と一方の導電部材は第１壁絶縁部で絶縁され、蓋部材と他方の導電部材は第２壁絶縁部で絶縁される。また、両極のタブ群の積層方向一端側の最外層は第１タブ絶縁部でケース部材と絶縁され、両極のタブ群の積層方向他端側の最外層は第２タブ絶縁部でケース部材と絶縁される。よって、蓋端子組立体の組立後に絶縁カバーを装着して製造される蓄電装置であっても、タブ群の最外層をケース部材と絶縁することができ、その絶縁のための工程を増やさずに絶縁できる。
【００１３】
また、蓄電装置について、前記一対の導電部材の並ぶ方向を並設方向とし、前記並設方向に対向した前記導電部材の対向面を各導電部材の先端面とすると、前記第１の絶縁カバーは、一方の前記導電部材の前記先端面に当接する当接面を備え、前記第２の絶縁カバーは他方の前記導電部材の前記先端面に当接する当接面を備えていてもよい。
【００１４】
これによれば、導電部材は、蓋部材に固定されており、移動不能である。この導電部材の先端面に対し、各絶縁カバーの当接面を当接させることで、各絶縁カバーの並設方向への移動を抑制できる。積層方向への各絶縁カバーの移動は、係止爪の係止によって抑制できる。よって、導電部材の先端面と絶縁カバーの当接面との当接、及び係止爪の係止によって、積層方向及び並設方向の両方向への各絶縁カバーの移動を抑制できる。
【００１５】
また、蓄電装置について、前記第１の絶縁カバーは、一方の導電部材と接合された前記基部を前記電極組立体と絶縁する第１端子絶縁部を備え、前記第２の絶縁カバーは、他方の導電部材と接合された前記基部を前記電極組立体と絶縁する第２端子絶縁部を備えていてもよい。
【００１６】
これによれば、第１の絶縁カバーを電極組立体に装着することで、一方の導電部材と両極のタブ群だけでなく、一方の電極端子を電極組立体から絶縁できる。また、第２の絶縁カバーを電極組立体に装着することで、他方の導電部材と両極のタブ群だけでなく、他方の電極端子を電極組立体から絶縁できる。
【００１７】
前記蓄電装置は二次電池である。
【発明の効果】
【００１８】
本発明によれば、容易にタブ群とケースを絶縁できる。
【図面の簡単な説明】
【００１９】
【図１】実施形態の二次電池を示す分解斜視図。
【図２】実施形態の二次電池を示す斜視図。
【図３】第１の絶縁カバーと第２の絶縁カバーを組付けた状態を示す斜視図。
【図４】蓋端子組立体を示す斜視図。
【図５】蓋端子組立体を示す平面図。
【図６】第１の絶縁カバーと第２の絶縁カバーを蓋端子組立体に装着する斜視図。
【図７】図２の７−７線断面図。
【図８】別例を示す平面図。
【発明を実施するための形態】
【００２０】
以下、蓄電装置を二次電池に具体化した一実施形態を図１〜図７にしたがって説明する。
図１又は図２に示すように、蓄電装置としての二次電池１０はケース１１を備え、ケース１１には電極組立体１２が収容されている。ケース１１は、四角箱状のケース部材１４と、このケース部材１４の開口部１４ａを閉塞する矩形平板状の蓋部材１５とを有している。なお、本実施形態の二次電池１０はリチウムイオン電池である。
【００２１】
電極組立体１２は、シート状の複数の正極電極２１とシート状の複数の負極電極３１とを備え、正極電極２１と負極電極３１とは異なる極性の電極である。詳細に図示しないが、正極電極２１は、正極金属箔（本実施形態ではアルミニウム箔）と、その正極金属箔の両面に存在する正極活物質層とを有する。負極電極３１は、負極金属箔（本実施形態では銅箔）と、その負極金属箔の両面に存在する負極活物質層とを有する。そして、電極組立体１２は、複数の正極電極２１と複数の負極電極３１の間にこれらを絶縁するセパレータ２４を介在させて層状とした積層型である。正極電極２１と負極電極３１が積層された方向を電極組立体１２の積層方向とする。
【００２２】
正極電極２１は、正極電極２１の一辺２１ａの一部から突出した形状のタブ２５を有する。負極電極３１は、負極電極３１の一辺３１ａの一部から突出した形状のタブ３５を有する。複数の正極のタブ２５、及び複数の負極のタブ３５は、正極電極２１及び負極電極３１が積層された状態で、正極のタブ２５と負極のタブ３５とが重ならない位置にそれぞれ設けられている。
【００２３】
電極組立体１２は、端面としてのタブ側端面１２ｂを備える。タブ側端面１２ｂは、正極電極２１の一辺２１ａ、負極電極３１の一辺３１ａ、及びセパレータ２４の一辺を寄せ集めて形成されている。電極組立体１２を構成する各正極電極２１は、それぞれのタブ２５が積層方向に沿って列状に配置されるように積層される。同様に、電極組立体１２を構成する各負極電極３１は、それぞれのタブ３５が積層方向に沿って列状に配置されるように積層される。
【００２４】
二次電池１０は、タブ側端面１２ｂから突出した正極のタブ群３６を有し、このタブ群３６は、全ての正極のタブ２５を電極組立体１２における積層方向の一端側に寄せ集め、積層して構成されている。また、二次電池１０は、タブ側端面１２ｂから突出した負極のタブ群３６を有し、このタブ群３６は、全ての負極のタブ３５を電極組立体１２における積層方向の一端側に寄せ集め、積層して構成されている。
【００２５】
二次電池１０では、ケース１１に収容された各タブ群３６、及び電極組立体１２のタブ側端面１２ｂに対し、ケース１１の蓋部材１５の内面１５ｄが対峙している。蓋部材１５の内面１５ｄと、電極組立体１２のタブ側端面１２ｂとを最短距離で結ぶ方向を対向方向Ｚとする。
【００２６】
正極のタブ群３６には、電極組立体１２と、後述の正極端子構造１６とを電気的に接続するための正極導電部材５１が接合されている。また、負極のタブ群３６には、電極組立体１２と、後述の負極端子構造１７とを電気的に接続するための負極導電部材５２が接合されている。蓋部材１５の内面１５ｄと電極組立体１２のタブ側端面１２ｂとの間には、正極導電部材５１及び負極導電部材５２が配置されている。なお、正極導電部材５１と負極導電部材５２がタブ側端面１２ｂに沿って並設された方向を並設方向Ｘとする。
【００２７】
正極導電部材５１は、タブ群３６と接合された平板状の電極接合部５１ａを長手方向一端側に備える。また、正極導電部材５１は、後述の正極引出端子６０と接続される平板状の端子接続部５１ｂを長手方向他端側に備え、電極接合部５１ａと端子接続部５１ｂは長手方向に連続している。
【００２８】
負極導電部材５２は、タブ群３６と電気的に接合された平板状の電極接合部５２ａを長手方向一端側に備える。また、負極導電部材５２は、後述の負極引出端子６１と電気的に接合された端子接続部５２ｂを長手方向他端側に備え、電極接合部５２ａと端子接続部５２ｂは長手方向に連続している。電極接合部５２ａは、端子接続部５２ｂと比較すると、負極導電部材５２の短手方向に沿う寸法が小さい形状であり、蓋部材１５の短手方向に沿う寸法より小さい。
【００２９】
次に、正極端子構造１６及び負極端子構造１７を説明する。なお、正極端子構造１６と負極端子構造１７は、電流遮断機構を除いて基本的に同じ構成であるため、共通の部材については、同じ部材番号を使用して説明する。
【００３０】
まず、正極端子構造１６及び負極端子構造１７を設けるための蓋部材１５の構成について説明する。蓋部材１５は、ケース１１の外側に臨む外面１５ｃ及びケース１１の内側に臨む内面１５ｄを有し、蓋部材１５において、外面１５ｃと内面１５ｄを最短距離で結ぶ方向を厚み方向とする。蓋部材１５は、長手方向の両端部に挿通孔１５ｅを備える。各挿通孔１５ｅは、蓋部材１５を厚み方向に貫通する。
【００３１】
正極端子構造１６及び負極端子構造１７は、蓋部材１５の外面１５ｃに配置された外側絶縁部材５７を備える。この外側絶縁部材５７は、正極の外部接続端子６６及び正極引出端子６０と、蓋部材１５とを絶縁し、負極の外部接続端子６６及び負極引出端子６１と、蓋部材１５とを絶縁する。外側絶縁部材５７は合成樹脂製である。外側絶縁部材５７は、蓋部材１５の外面１５ｃから見て矩形状である。外側絶縁部材５７の表面５７ｃと裏面５７ａとを結ぶ方向を厚み方向とする。
【００３２】
外側絶縁部材５７は、長手方向の一端寄りに回り止め部５８を備える。回り止め部５８は、表面５７ｃから裏面５７ａに向けて四角形状に凹んだ形状である。外側絶縁部材５７は、長手方向の他端寄りに挿通孔５７ｄを備える。挿通孔５７ｄは、蓋部材１５の挿通孔１５ｅと一致した位置にある。
【００３３】
正極端子構造１６及び負極端子構造１７は、蓋部材１５の外側に配置された外部接続端子６６を備え、この外部接続端子６６は蓋部材１５の外側で、二次電池１０同士を電気的に接続するバスバーを固定可能とする。外部接続端子６６は金属製である。この外部接続端子６６は、角柱状のボルト頭部６７と、外部接続端子６６の軸方向に沿ってボルト頭部６７の一端面から突出した形状の軸部６８と、ボルト頭部６７の他端面から突出した形状の係合凸部６９とを、備える。軸部６８には、バスバー締結用のナットが螺合可能である。
【００３４】
係合凸部６９は軸方向に見て四角形状である。係合凸部６９の四つの外側面を結んで形成される四角形状は、外側絶縁部材５７の回り止め部５８の四つの内側面を結んで形成される四角形状と相似である。そして、外部接続端子６６の係合凸部６９は、外側絶縁部材５７の回り止め部５８内に挿入されている。係合凸部６９の四つの外側面は、回り止め部５８の四つの内側面に接触し、係止している。この接触により、外部接続端子６６は、外側絶縁部材５７の表面５７ｃに沿う方向への移動が抑制され、特に、外側絶縁部材５７の表面５７ｃでの回転が抑制されている。
【００３５】
正極端子構造１６は、電極組立体１２の正極のタブ群３６と正極導電部材５１を介して電気的に接続された電極端子としての正極引出端子６０を備える。負極端子構造１７は、電極組立体１２の負極のタブ群３６と負極導電部材５２を介して電気的に接続された電極端子としての負極引出端子６１を備える。
【００３６】
正極引出端子６０は、後述の端子接続部材４４と電気的に接続される接続用軸部６０ａと、正極導電部材５１の端子接続部５１ｂと電気的に接続される基部６０ｂと、基部６０ｂから突出したカシメ部（図示せず）とを軸方向に連続して備える。なお、端子接続部材４４は、長手方向の一端側に、外部接続端子６６と接続される接続片４６を備え、長手方向の他端側に固定片４７を備える。端子接続部材４４は、接続片４６を厚み方向に貫通する貫通孔４６ａを備え、この貫通孔４６ａには外部接続端子６６の軸部６８が挿通されている。また、端子接続部材４４は、固定片４７を厚み方向に貫通する挿通孔４７ａを備える。
【００３７】
正極引出端子６０の基部６０ｂは、蓋部材１５の内面１５ｄからケース１１内に突出して配置されているとともに、接続用軸部６０ａは、ホルダ４０の挿通孔４０ａ、蓋部材１５の挿通孔１５ｅ、外側絶縁部材５７の挿通孔５７ｄ及び端子接続部材４４の挿通孔４７ａを貫通している。また、カシメ部は、正極導電部材５１を貫通して、電極組立体１２側に突出している。カシメ部はカシメられて端子接続部５１ｂに接している。
【００３８】
正極端子構造１６は、Ｏリング７３を有し、このＯリング７３には、正極引出端子６０の接続用軸部６０ａが挿通され、かつ基部６０ｂに支持されている。正極端子構造１６は、接続用軸部６０ａが挿通された前述のホルダ４０を有する。蓋部材１５の短手方向に沿うホルダ４０の寸法は、同じく短手方向に沿う正極導電部材５１の寸法より大きい。このため、ホルダ４０は、蓋部材１５の短手方向に沿って正極導電部材５１よりも突出している。
【００３９】
ホルダ４０の内側には、端子接続部５１ｂに支持されたＯリング７３が配置されている。端子接続部材４４の挿通孔４７ａを貫通した接続用軸部６０ａと、端子接続部５１ｂを貫通したカシメ部とが軸方向にカシメられることにより、接続用軸部６０ａとカシメ部によって、正極導電部材５１、ホルダ４０、蓋部材１５、外側絶縁部材５７、及び端子接続部材４４の固定片４７が挟持されている。この挟持により、正極引出端子６０が蓋部材１５に固定されている。Ｏリング７３は、蓋部材１５の内面１５ｄのうち挿通孔１５ｅの周囲に密接し、蓋部材１５の挿通孔１５ｅをシールしている。
【００４０】
また、図２に示すように、正極引出端子６０の接続用軸部６０ａの先端部は、端子接続部材４４における固定片４７の表面に係止するとともに、この係止によって正極引出端子６０と端子接続部材４４が電気的に接続されている。また、正極引出端子６０の基部６０ｂは、正極導電部材５１の端子接続部５１ｂに接触し、この接触によって、正極引出端子６０と正極導電部材５１が電気的に接続されている。
【００４１】
図１に示すように、負極端子構造１７において、負極引出端子６１は、負極の端子接続部材４４と電気的に接続される接続用軸部６２と、負極導電部材５２の端子接続部５２ｂと電気的に接続される基部６３とを軸方向に連続して備える。負極引出端子６１の接続用軸部６２は、ホルダ４０の挿通孔４０ａ、蓋部材１５の挿通孔１５ｅ、外側絶縁部材５７の挿通孔５７ｄ及び端子接続部材４４の挿通孔４７ａに挿通されている。
【００４２】
負極引出端子６１の基部６３は、四角板状である。基部６３は、正極側の基部６０ｂよりもサイズが大きい。基部６３の外形形状は、負極引出端子６１を軸方向から見て四角形状である。負極端子構造１７は、Ｏリング７３を有し、このＯリング７３には接続用軸部６２が挿通され、かつ基部６３に支持されている。負極端子構造１７は、接続用軸部６２が挿通された筒状のホルダ４０を有する。ホルダ４０の内側には、基部６３に支持されたＯリング７３が配置されている。そして、ホルダ４０は、蓋部材１５と、負極引出端子６１の基部６３との間に介在し、蓋部材１５と基部６３との接触を規制するとともに、蓋部材１５と負極引出端子６１とを絶縁する。また、負極のホルダ４０は、基部６３の外周面を覆い、ケース１１から負極引出端子６１を絶縁する。
【００４３】
図２に示すように、負極端子構造１７において、端子接続部材４４の挿通孔４７ａを貫通した接続用軸部６２の先端部が軸方向にカシメられることにより、接続用軸部６２と基部６３によって、ホルダ４０、蓋部材１５、外側絶縁部材５７、及び端子接続部材４４が挟持されている。この挟持により、負極引出端子６１が蓋部材１５に固定されている。Ｏリング７３は、蓋部材１５の内面１５ｄのうち挿通孔１５ｅの周囲に密接し、蓋部材１５の挿通孔１５ｅをシールしている。
【００４４】
また、負極引出端子６１の接続用軸部６２の先端部は、端子接続部材４４における固定片４７の表面に係止するとともに、この係止によって負極引出端子６１と端子接続部材４４が電気的に接続されている。
【００４５】
二次電池１０は、一方の電極端子である負極引出端子６１に一体の電流遮断機構８０を備える。電流遮断機構８０は、ケース１１の内部に配置されており、ケース１１の内部圧力が所定の設定圧力に達すると、電極組立体１２と、負極引出端子６１とを電気的に接続している通電経路の電流を遮断する。
【００４６】
次に、ケース１１内の絶縁カバーについて説明する。
図７に示すように、二次電池１０は、電極組立体１２の積層方向一端側から装着された第１の絶縁カバー８１と、電極組立体１２の積層方向他端側から装着された第２の絶縁カバー９１と、を備える。各絶縁カバー８１，９１において、正極導電部材５１と負極導電部材５２が並ぶ並設方向Ｘに沿う方向を長手方向とし、各絶縁カバー８１，９１の外面に沿い、かつ長手方向に直交する方向を短手方向とする。
【００４７】
図１又は図５に示すように、第１の絶縁カバー８１は、第１壁絶縁部８２を備える。第１の絶縁カバー８１の第１壁絶縁部８２は、一方の導電部材としての正極導電部材５１の電極接合部５１ａと蓋部材１５との間に介在し、両者を絶縁する。蓋部材１５の外面１５ｃから見て、第１壁絶縁部８２は電極接合部５１ａのほぼ全面を覆う形状である。第１の絶縁カバー８１は、第１壁絶縁部８２の一つの長縁部から電極組立体１２に向けて突出した形状の第１タブ絶縁部８３を備える。第１タブ絶縁部８３は細長板状である。第１の絶縁カバー８１の第１タブ絶縁部８３は、両極のタブ群３６を積層方向外側から覆うことのできる寸法を有する。
【００４８】
第１の絶縁カバー８１の第１タブ絶縁部８３は、電極組立体１２における積層方向の一端側に配置され、両極のタブ群３６の積層方向一端側を外側から覆う。第１タブ絶縁部８３は、積層方向において、両極のタブ群３６の積層方向一端側に位置する最外層のタブ２５，３５と、ケース部材１４においてタブ群３６の一端に対向した部位との間に介在し、両極のタブ群３６とケース部材１４とを絶縁する。
【００４９】
第１の絶縁カバー８１は、短手方向の一端部に一体の連結部８４を備える。第１の絶縁カバー８１は、連結部８４に一体の第１端子絶縁部８５を備える。連結部８４は、長手方向に沿う側面視で、第１壁絶縁部８２と、第１端子絶縁部８５とを対向方向Ｚに離している。
【００５０】
よって、長手方向に沿う側面視では、第１壁絶縁部８２と第１端子絶縁部８５とは対向方向Ｚに離間している。第１端子絶縁部８５は、蓋部材１５の外面１５ｃから見た平面視が四角形状である。第１端子絶縁部８５の平面視サイズは、正極引出端子６０のカシメ部の平面視サイズより大きく、カシメ部の全体を電極組立体１２側から覆うことができる。
【００５１】
第１端子絶縁部８５は３辺に沿う部位に突条部８５ｃを備える。長手方向に沿う側面視では、第１壁絶縁部８２と突条部８５ｃとは対向方向Ｚに対向した位置にある。よって、第１の絶縁カバー８１は、側面視で対向した第１壁絶縁部８２と第１端子絶縁部８５の間に第１の隙間８５ｄを備える。
【００５２】
対向方向Ｚに沿う第１の隙間８５ｄの寸法は、正極導電部材５１の厚みより大きく、第１の隙間８５ｄには、正極導電部材５１が挿入されている。第１の絶縁カバー８１は、第１端子絶縁部８５の突条部８５ｃから突出した第１係止爪８５ａを備える。第１端子絶縁部８５の第１係止爪８５ａは、側面視で第１端子絶縁部８５から第１壁絶縁部８２に向けて突条部８５ｃから突出している。第１の絶縁カバー８１の短手方向に沿う連結部８４と第１係止爪８５ａの対向面間の寸法は、短手方向に沿うホルダ４０の寸法より長い。そして、第１の隙間８５ｄ内に端子接続部５１ｂが入り込んだ状態では、ホルダ４０の縁部のうち、一方の縁部に連結部８４が当接するとともに、他方の縁部に第１係止爪８５ａが係止している。
【００５３】
図４に示すように、第１の絶縁カバー８１は、第１タブ絶縁部８３の内面から短手方向に突出した第１規制部８７を備える。第１規制部８７は、蓋部材１５の外面から見て矩形状である。第１規制部８７のうち、第１の絶縁カバー８１の短手方向に延びる当接面８７ａは、正極導電部材５１の先端面５１ｃに当接している。なお、正極導電部材５１の先端面５１ｃとは、並設方向Ｘにおいて、負極導電部材５２の電極接合部５２ａと対向した、電極接合部５１ａの端面であり、電極組立体１２の積層方向に直線状に延びる面である。
【００５４】
図１、図３又は図５に示すように、第２の絶縁カバー９１は、第２壁絶縁部９２を備える。第２の絶縁カバー９１の第２壁絶縁部９２は、電極接合部５２ａと蓋部材１５との間に介在し、両者を絶縁する。蓋部材１５の外面１５ｃから見て、第２壁絶縁部９２は電極接合部５２ａのほぼ全面を覆う形状である。第２の絶縁カバー９１は、第２壁絶縁部９２の一つの長縁部から電極組立体１２に向けて突出した形状の第２タブ絶縁部９３を備える。第２タブ絶縁部９３は細長板状である。第２の絶縁カバー９１の第２タブ絶縁部９３は、両極のタブ群３６を覆うことのできる寸法を有する。
【００５５】
第２の絶縁カバー９１の第２タブ絶縁部９３は、電極組立体１２における積層方向の他端側に配置され、両極のタブ群３６を積層方向他端側から覆う。第２タブ絶縁部９３は、積層方向において、両極のタブ群３６の積層方向他端側に位置する再外層のタブ２５，３５と、ケース部材１４においてタブ群３６の他端に対向した部位との間に介在し、両極のタブ群３６とケース部材１４とを絶縁する。
【００５６】
第２の絶縁カバー９１は、第２壁絶縁部９２の長手方向一端部でかつ短手方向の一端部に一体の連結部９４を備える。第２の絶縁カバー９１は、連結部９４に一体の第２端子絶縁部９６を備える。
【００５７】
第２端子絶縁部９６は、蓋部材１５の外面１５ｃから見た平面視が四角形状である。第２端子絶縁部９６の平面視サイズは、負極引出端子６１の基部６３及び電流遮断機構８０の平面視サイズとほぼ同じであり、電流遮断機構８０を電極組立体１２側から覆うことができる。第２端子絶縁部９６は三辺に沿って突条部９６ｃを備える。
【００５８】
第２の絶縁カバー９１は、対向方向Ｚにおいて第２壁絶縁部９２と突条部９６ｃとの間に第２の隙間９６ｅを備える。対向方向Ｚに沿う第２の隙間９６ｅの寸法は、負極導電部材５２の厚みより大きく、第２の隙間９６ｅには、負極の電極接合部５２ａが挿入されている。
【００５９】
第２端子絶縁部９６において、第２の絶縁カバー９１の短手方向に沿う両端部のうち、突条部９６ｃの一端部に連結部９４が位置し、他端部に第２係止爪９６ａが存在する。第２端子絶縁部９６の第２係止爪９６ａは、側面視で第２端子絶縁部９６から第２壁絶縁部９２に向けて突条部９６ｃから突出している。第２の絶縁カバー９１の短手方向に沿う連結部９４と第２係止爪９６ａの対向面間の寸法は、端子接続部５２ｂの短手方向に沿う寸法より僅かに長い。そして、第２の隙間９６ｅ内に電極接合部５２ａが入り込んだ状態では、第２の絶縁カバー９１の短手方向に対向した端子接続部５２ｂの縁部の一方に連結部９４が当接するとともに、他方の縁部に第２係止爪９６ａが係止している。
【００６０】
第２の絶縁カバー９１は、第２タブ絶縁部９３の内面から短手方向に突出した第２規制部９７を備える。第２規制部９７は、蓋部材１５の外面から見て矩形状である。第２規制部９７のうち、第２の絶縁カバー９１の短手方向に延びる当接面９７ａは、負極導電部材５２の先端面５２ｃに当接する。なお、負極導電部材５２の先端面５２ｃとは、並設方向Ｘにおいて、正極導電部材５１の電極接合部５１ａと対向した、電極接合部５２ａの端面であり、電極組立体１２の積層方向に直線状に延びる面である。
【００６１】
次に、二次電池１０の製造方法を作用とともに記載する。
なお、負極引出端子６１と電流遮断機構８０と負極導電部材５２が予め一体化されているとする。
【００６２】
まず、図１に示すように、蓋部材１５の外面１５ｃに外側絶縁部材５７を配置する。その外側絶縁部材５７の回り止め部５８内に外部接続端子６６の係合凸部６９を挿入する。次に、端子接続部材４４の貫通孔４６ａに外部接続端子６６の軸部６８を挿入する。
【００６３】
次に、正極側において、蓋部材１５の内面１５ｄ側にＯリング７３、ホルダ４０を配置する。そして、正極引出端子６０の接続用軸部６２を、ホルダ４０の挿通孔４０ａ、Ｏリング７３、蓋部材１５の挿通孔１５ｅ、外側絶縁部材５７の挿通孔５７ｄ及び端子接続部材４４の挿通孔４７ａに挿入する。そして、正極引出端子６０のカシメ部と接続用軸部６０ａのカシメにより、カシメ部と接続用軸部６０ａの端部との間に、正極導電部材５１、ホルダ４０、Ｏリング７３、蓋部材１５、外側絶縁部材５７、及び端子接続部材４４が一体化される。
【００６４】
負極側において、蓋部材１５の内面１５ｄ側にＯリング７３、ホルダ４０を配置し、ホルダ４０の挿通孔４０ａ、Ｏリング７３、蓋部材１５の挿通孔１５ｅ、外側絶縁部材５７の挿通孔５７ｄ及び端子接続部材４４の挿通孔４７ａに、負極引出端子６１の接続用軸部６２を挿入する。そして、接続用軸部６２のカシメにより、基部６３と接続用軸部６２の先端部との間に、ホルダ４０、Ｏリング７３、蓋部材１５、外側絶縁部材５７、及び端子接続部材４４が一体化されるとともに、電流遮断機構８０も一体化される。
【００６５】
すると、図６に示すように、蓋部材１５に正極端子構造１６及び負極端子構造１７が形成され、蓋端子組立体２０が形成される。蓋部材１５と、電極接合部５１ａ，５２ａとの間に隙間が存在している。
【００６６】
そして、正極導電部材５１の電極接合部５１ａに対し、電極組立体１２の正極のタブ群３６がレーザ溶接によって接合され、負極導電部材５２の電極接合部５２ａに対し、負極のタブ群３６がレーザ溶接によって接合される。すると、蓋端子組立体２０と電極組立体１２が一体化される。次に、タブ群３６を折り曲げる。
【００６７】
そして、積層方向一端側から、蓋部材１５と、電極接合部５１ａとの間に第１の絶縁カバー８１の第１壁絶縁部８２を差し込むとともに、第１の隙間８５ｄに正極導電部材５１を差し込むように、第１の絶縁カバー８１をスライド移動させる。
【００６８】
正極側において、第１端子絶縁部８５の第１係止爪８５ａがホルダ４０の縁部に係止する。その結果、第１の絶縁カバー８１が正極導電部材５１に一体に組付けられるとともに、電極接合部５１ａが第１壁絶縁部８２によって、蓋部材１５から絶縁された状態となる。同時に、両極のタブ群３６の積層方向一端側が、第１タブ絶縁部８３によってケース１１の側壁から絶縁された状態となる。また、第１端子絶縁部８５が正極引出端子６０のカシメ部を電極組立体１２側から絶縁した状態となる。
【００６９】
また、積層方向他端側から、蓋部材１５と、電極接合部５２ａとの間に第２の絶縁カバー９１の第２壁絶縁部９２を差し込むとともに、第２の隙間９６ｅに負極導電部材５２を差し込むように、第２の絶縁カバー９１をスライド移動させる。
【００７０】
そして、負極側において、第２端子絶縁部９６の第２係止爪９６ａが端子接続部５２ｂの縁部に係止する。その結果、第２の絶縁カバー９１が負極導電部材５２に一体に組付けられるとともに、電極接合部５２ａが第２壁絶縁部９２によって、蓋部材１５から絶縁された状態となる。同時に、両極のタブ群３６の積層方向他端面が、第２タブ絶縁部９３によってケース１１の側壁から絶縁された状態となる。また、第２端子絶縁部９６が電流遮断機構８０を電極組立体１２側から絶縁した状態となる。
【００７１】
その結果、図７に示すように、第１の絶縁カバー８１及び第２の絶縁カバー９１が電極組立体１２に組付けられるとともに、電極接合部５１ａ，５２ａが第１及び第２壁絶縁部８２，９２によって、蓋部材１５から絶縁された状態となる。同時に、両極のタブ群３６の積層方向一端側が、第１タブ絶縁部８３によってケース１１の側壁から絶縁され、両極のタブ群３６の積層方向他端側が、第２タブ絶縁部９３によってケース１１の側壁から絶縁された状態となる。
【００７２】
図５に示すように、第１の絶縁カバー８１の第１規制部８７の当接面８７ａは、正極導電部材５１の先端面５１ｃに当接している。この当接により、第１の絶縁カバー８１の並設方向Ｘへの移動が抑制されている。また、第２の絶縁カバー９１の第２規制部９７の当接面９７ａは、負極導電部材５２の先端面５２ｃに当接している。この当接により、第２の絶縁カバー９１の並設方向Ｘへの移動が抑制されている。
【００７３】
そして、蓋端子組立体２０に第１の絶縁カバー８１及び第２の絶縁カバー９１が装着された後、電極組立体１２をケース部材１４の開口部１４ａからケース部材１４内に挿入する。その後、蓋部材１５をケース部材１４の開口端に接合すると、二次電池１０が組み立てられる。
【００７４】
上記実施形態によれば、以下のような効果を得ることができる。
（１）二次電池１０の製造について、蓋端子組立体２０を予め製造しておき、この蓋端子組立体２０の各電極接合部５１ａ，５２ａに各タブ群３６を接合して電極組立体１２を一体化した状態で電極組立体１２をケース部材１４内に収容して二次電池１０を製造する方法がある。この製造方法では、第１の絶縁カバー８１及び第２の絶縁カバー９１は、蓋端子組立体２０の製造後に、蓋部材１５と電極接合部５１ａ，５２ａとの間に各壁絶縁部８２，９２を差し込んで装着される。
【００７５】
このため、二次電池１０において、電極組立体１２の両極のタブ群３６については、積層方向一端側は、第１の絶縁カバー８１の第１タブ絶縁部８３によってケース部材１４と絶縁でき、積層方向他端側は第２の絶縁カバー９１の第２タブ絶縁部９３によってケース部材１４と絶縁できる。よって、蓋端子組立体２０に絶縁カバー８１，９１を装着して製造された二次電池１０であっても、両極のタブ群３６を積層方向両端側からケース１１と容易に絶縁することができる。したがって、絶縁カバー８１，９１を装着するだけで両極のタブ群３６をケース部材１４から絶縁でき、その絶縁のための工程を増やさずに済む。
【００７６】
（２）第１の絶縁カバー８１は、ホルダ４０に係止する第１係止爪８５ａを備え、第２の絶縁カバー９１は、負極導電部材５２の端子接続部５２ｂに係止する第２係止爪９６ａを備える。ホルダ４０及び負極導電部材５２は蓋端子組立体２０に組付けられており、蓋部材１５に固定されている。固定されたホルダ４０及び負極導電部材５２に各係止爪８５ａ，９６ａが係止することにより、各絶縁カバー８１，９１について、挿入方向と逆方向への移動を抑制できる。
【００７７】
（３）第１の絶縁カバー８１は、正極導電部材５１の先端面５１ｃに当接する当接面８７ａを備え、第２の絶縁カバー９１は、負極導電部材５２の先端面５２ｃに当接する当接面９７ａを備える。各当接面８７ａ，９７ａと各先端面５１ｃ，５２ｃとの当接により、並設方向Ｘへの各絶縁カバー８１，９１の移動を抑制できる。積層方向への各絶縁カバー８１，９１の移動は、各係止爪８５ａ，９６ａの係止によって抑制できる。よって、各導電部材５１，５２の先端面５１ｃ，５２ｃと各絶縁カバー８１，９１の当接面８７ａ，９７ａとの当接、及び係止爪８５ａ，９６ａの係止によって、積層方向及び並設方向の両方向への各絶縁カバー８１，９１の移動を抑制でき、絶縁状態を維持できる。
【００７８】
（４）第１の絶縁カバー８１を電極組立体１２に装着すると、第１端子絶縁部８５によって、正極引出端子６０のカシメ部を電極組立体１２側から絶縁できる。また、第２の絶縁カバー９１を電極組立体１２に装着すると、第２端子絶縁部９６によって、負極引出端子６１を含む電流遮断機構８０を電極組立体１２から絶縁できる。よって、各絶縁カバー８１，９１の装着により、各導電部材５１，５２及びタブ群３６だけでなく、各引出端子６０，６１も電極組立体１２から絶縁できる。
【００７９】
（５）各絶縁カバー８１，９１の各壁絶縁部８２，９２は、電極接合部５１ａ，５２ａだけを蓋部材１５から絶縁するサイズである。例えば、各壁絶縁部８２，９２が、各絶縁カバー８１，９１の長手方向全体に延びるサイズの場合と比べると、絶縁カバー８１，９１の材料費を抑えることができる。
【００８０】
なお、上記実施形態は以下のように変更してもよい。
○  図８に示すように、第１の絶縁カバー８１の第１係止爪８５ａを正極導電部材５１の端子接続部５１ｂに係止させるようにしてもよい。また、第２の絶縁カバー９１の第２係止爪９６ａをホルダ４０に係止させるようにしてもよい。
【００８１】
○  第１の絶縁カバー８１について、ホルダ４０に係止した第１係止爪８５ａ以外にも正極導電部材５１に係止する係止爪を設けてもよい。
○  第２の絶縁カバー９１について、負極導電部材５２に係止した第２係止爪９６ａ以外にもホルダ４０に係止する係止爪を設けてもよい。
【００８２】
○  第１の絶縁カバー８１の第１端子絶縁部８５は無くてもよいし、第２の絶縁カバー９１の第２端子絶縁部９６は無くてもよい。
○  第１の絶縁カバー８１の当接面８７ａは無くてもよいし、第２の絶縁カバー９１の当接面９７ａは無くてもよい。
【００８３】
○  電極端子は、正極引出端子６０や負極引出端子６１のように、外部接続端子６６と端子接続部材４４を介して接続されるものでなくてもよく、正極導電部材５１や負極導電部材５２に直接接続されたものでもよい。
【００８４】
○  蓄電装置は、正極引出端子６０と一体の電流遮断機構８０を有する二次電池にも適用することができる。
○  蓄電装置は、電流遮断機構８０を備えない二次電池にも適用することができる。この場合、第２絶縁部は両極性の電極端子の基部を電極組立体１２側から覆う。
【００８５】
○  電極端子は、正極引出端子６０や負極引出端子６１のように、外部接続端子６６と端子接続部材４４を介して接続されるものでなくてもよく、正極導電部材５１や負極導電部材５２に直接接続されたものでもよい。
【００８６】
○  蓄電装置は、例えばキャパシタなど、二次電池以外の蓄電装置にも適用可能である。
○  正極電極２１及び負極電極３１は、金属箔の片面に活物質層が存在する構造でもよい。
【００８７】
○  二次電池１０は、リチウムイオン二次電池でもよいし、他の二次電池であってもよい。要は、正極用の活物質と負極用の活物質との間をイオンが移動するとともに電荷の授受を行うものであればよい。
【００８８】
次に、上記実施形態及び別例から把握できる技術的思想について、以下に追記する。
（１）前記蓋部材に前記電極端子を固定し、前記電極端子の前記基部に前記導電部材を接合して、蓋端子組立体２０を製造した後、前記導電部材に前記タブ群を接合して、前記蓋端子組立体と前記電極組立体を一体化した後、前記第１の絶縁カバー及び前記第２の絶縁カバーが前記蓋端子組立体に装着される蓄電装置。
【符号の説明】
【００８９】
１０…蓄電装置としての二次電池、１１…ケース、１２…電極組立体、１２ｂ…端面としてのタブ側端面、１４…ケース部材、１４ａ…開口部、１５…蓋部材、２１…正極電極、２１ａ…一辺、２５，３５…タブ、３１…負極電極、３１ａ…一辺、３６…タブ群、４０…ホルダ、５１…正極導電部材、５２…負極導電部材、５１ｃ，５２ｃ…先端面、６０…電極端子としての正極引出端子、６０ｂ，６３…基部、６１…電極端子としての負極引出端子、８１…第１の絶縁カバー、８２…第１壁絶縁部、８３…第１タブ絶縁部、８５…第１端子絶縁部、８５ａ…第１係止爪、８７ａ，９７ａ…当接面、９１…第２の絶縁カバー、９２…第２壁絶縁部、９３…第２タブ絶縁部、９６…第２端子絶縁部、９６ａ…第２係止爪。
【図１】
2018006120.tif 000003
【図２】
2018006120.tif 000004
【図３】
2018006120.tif 000005
【図４】
2018006120.tif 000006
【図５】
2018006120.tif 000007
【図６】
2018006120.tif 000008
【図７】
2018006120.tif 000009
【図８】
2018006120.tif 000010